【事件の表示】
　特許第３５３５０５９号に関する訂正審判事件について、次のとおり審決する。
【結　論】
　特許第３５３５０５９号に係る明細書を本件審判請求書に添付された訂正明細書のとおり訂正することを認める。
【理　由】
第１　請求の要旨
　本件審判の請求の要旨は、特許第３５３５０５９号（平成１１年１２月２２日特許出願、平成１６年３月１９日設定登録）の明細書を審判請求書に添付した訂正明細書のとおり、すなわち、つぎの訂正事項のとおり訂正することを求めるものである。
　１　訂正事項１
特許明細書の特許請求の範囲の請求項１ないし３に記載された
「【請求項１】背面板上に、複数のアドレス電極とこれを覆う誘電体層を備えるとともに、各アドレス電極間に配置された複数の隔壁を備えてなるプラズマ表示装置用基板において、前記隔壁中に燐片状物質を含有したことを特徴とするプラズマ表示装置用基板。
【請求項２】上記燐片状物質が平均厚さ２μｍ以下、平均長手方向長さ３０μｍ以下、平均幅方向長さ１μｍ以上であることを特徴とする請求項１記載のプラズマ表示装置用基板。
【請求項３】上記燐片状物質の隔壁中への含有量が０．５重量％以上、５重量％以下であることを特徴とする請求項２記載のプラズマ表示装置用基板。」
を
「【請求項１】背面板上に、複数のアドレス電極とこれを覆う誘電体層を備えるとともに、各アドレス電極間に配置された複数の隔壁を備えてなるプラズマ表示装置用基板において、前記隔壁中に
鱗
【請求項２】上記
鱗
【請求項３】上記
鱗
と訂正する。（当審注：なお、下線部は、訂正部分を示す。（以下、第１の項において同じ。））
　２　訂正事項２
　特許明細書の段落番号【００１３】に記載された
「【００１３】【課題を解決するための手段】本発明者等は前記課題に鑑み鋭意研究検討した結果、隔壁材料中に燐片状物質を添加することにより、添加物により突起が発生することなくリブ強度が向上し、しかも型を用いてプレスにより隔壁を成形する工法において型への隔壁材料の充填性が向上することを見出し本発明に至った。」
を
「【００１３】【課題を解決するための手段】本発明者等は前記課題に鑑み鋭意研究検討した結果、隔壁材料中に
鱗
と訂正する。
　３　訂正事項３
　特許明細書の段落番号【００１４】に記載された
「【００１４】即ち、背面板上に、複数のアドレス電極とこれを覆う誘電体層を備えるとともに、各アドレス電極間に配置された複数の隔壁を備えてなるプラズマ表示装置用基板において、前記隔壁中に燐片状物質を含有したことを特徴とするものである。」
を
「【００１４】即ち、背面板上に、複数のアドレス電極とこれを覆う誘電体層を備えるとともに、各アドレス電極間に配置された複数の隔壁を備えてなるプラズマ表示装置用基板において、前記隔壁中に
鱗
と訂正する。
　４　訂正事項４
　特許明細書の段落番号【００１５】に記載された
「【００１５】更に、燐片状物質が平均厚さ２μｍ以下、平均長手方向長さ３０μｍ以下、平均幅方向長さ１μｍ以上であることを特徴とするものであり、燐片状物質の隔壁中への含有量が０．５重量％以上、５重量％以下であることを特徴とするものである。」
を
「【００１５】更に、
鱗
鱗
と訂正する。
　５　訂正事項５
　特許明細書の段落番号【００１６】に記載された
「【００１６】【作用】本発明のプラズマ表示装置用基板とその製造方法によれば、隔壁材料に燐片状物質を添加することによりセラミックスを添加した場合と同様にフィラーの効果で隔壁の強度は向上する。また、特に型を用いてプレスにより隔壁を成形する工法の際に、型へ隔壁材料が充填される際に隔壁材料中の燐片状物質が充填方向に配向することにより、型への隔壁材料の充填性も向上する。これにより隔壁の形状不良、突起による隔壁の欠けが発生せず、また、その破片による点灯不良が発生しないプラズマ表示装置用基板を得ることができる。」
を
「【００１６】【作用】本発明のプラズマ表示装置用基板とその製造方法によれば、隔壁材料に
鱗
鱗
と訂正する。
　６　訂正事項６
　特許明細書の段落番号【００１９】に記載された
「【００１９】尚、本発明においては、図２（ａ）に示すように誘電体層8および隔壁2を構成する隔壁形成用組成物１０はセラミックスまたはガラス粉末と溶媒及び有機性添加物からなり、更に、平均厚さ２μｍ以下、平均長手方向長さ３０μｍ以下、平均幅方向長さ１μｍ以上の燐片状物質１２が０．５重量％以上、５重量％以下の添加量となるようにしている。」
を
「【００１９】尚、本発明においては、図２（ａ）に示すように誘電体層8および隔壁2を構成する隔壁形成用組成物１０はセラミックスまたはガラス粉末と溶媒及び有機性添加物からなり、更に、平均厚さ２μｍ以下、平均長手方向長さ３０μｍ以下、平均幅方向長さ１μｍ以上の
鱗
と訂正する。
　７　訂正事項７
　特許明細書の段落番号【００２０】に記載された
「【００２０】これはフィラーの効果により隔壁２の強度を向上させるために添加する燐片状物質１２の好適なサイズ及び添加量であり、この範囲外では、即ち、平均厚みが２μｍを越えると、充填時の配向性が乏しくなり、また、平均長手方向長さが３０μｍを越えると充填性に支障をきたし、平均幅方向長さが１μｍ未満となると凝集性が強くなり隔壁形成用組成物１０の作製上好ましくない。添加量としては、０．５重量％未満であると、隔壁２の強度向上、成形充填性向上の効果はあらわれず、一方、５重量％を越えると隔壁２の焼結性が乏しくなる。」
を
「【００２０】これはフィラーの効果により隔壁２の強度を向上させるために添加する
鱗
超
超
超
と訂正する。
　８　訂正事項８
　特許明細書の段落番号【００２１】に記載された
「【００２１】燐片状物質１２は、導体物質、半導体物質、絶縁物質の何れでも良いが、作製の容易な、例えば、アルミニウム、鉄、銅、亜鉛、クロム、ニッケル、コバルト、スズ、チタン、インジウムのような延性に富む金属材料が好ましい。」
を
「【００２１】
鱗
と訂正する。
　９　訂正事項９
　特許明細書の段落番号【００２２】に記載された
「【００２２】また、燐片状物質１２は、粉砕機、振動ミル、ボールミルなどにより粉砕を行うことによって作製することができる。これは、材料が延性を有することにより、材料が粉砕よりもむしろ伸延される為である。」
を
「【００２２】また、
鱗
と訂正する。
　１０　訂正事項１０
　特許明細書の段落番号【００２４】に記載された
「【００２４】図２は背面板上の燐片状物質を添加した隔壁形成用組成物からなる隔壁形成層を隔壁の形状に合致する凹部を有する成形型を加圧して、該隔壁形成層を塑性変形せしめ、該加圧圧力等をを制御して隔壁および誘電体形状を付与し、背面板に隔壁を形成させる方法である。」
を
「【００２４】図２は背面板上の
鱗
を
と訂正する。
　１１　訂正事項１１
　特許明細書の段落番号【００２５】に記載された
「【００２５】まず、図２（ａ）に示すように、背面板１上に燐片状物質１２を添加した隔壁形成用組成物１０を隔壁２および誘電体層８を形成する部分に塗布して隔壁形成層１１を形成する。次に図２（ｂ）に示すように、これを隔壁２の形状に合致する凹部を有する成形型９により加圧し、前記隔壁形成層１１を塑性変形せしめ、隔壁２および誘電体層８の形状を付与する。この時、隔壁形成層１１中の燐片状物質１２は、成形型９へ隔壁形成層１１が充填される際に充填する方向に配向する。更にこの影響により、成形型９への隔壁形成層１１の充填性も向上する。その後、図２（ｃ）に示すように、成形型９を離型して、隔壁２および誘電体層８を背面板１上に形成することができる。かくして得られた隔壁成形体を所定温度にて加熱して脱バインダー処理した後、焼成工程を経て隔壁２と誘電体層８が一体構造を有するプラズマ表示装置用基板を製造することができる。」
を
「【００２５】まず、図２（ａ）に示すように、背面板１上に
鱗
鱗
と訂正する。
　１２　訂正事項１２
　特許明細書の段落番号【００２７】に記載された
「【００２７】前記低融点ガラス粉末としては、ケイ酸塩を主成分とし、鉛、ビスマス、亜鉛、硫黄、セレン、明礬等の一種以上を含有した各種ガラス材料をを用いることができる。」
を
「【００２７】前記低融点ガラス粉末としては、ケイ酸塩を主成分とし、鉛、ビスマス、亜鉛、硫黄、セレン、明礬等の一種以上を含有した各種ガラス材料
を
と訂正する。
　１３　訂正事項１３
　特許明細書の段落番号【００３５】に記載された
「【００３５】また金属クロムの粉末を粉砕機により粉砕し、平均厚さ１．９μｍ、平均長手方向長さ２７．８μｍ、平均幅方向長さ１３．２μｍの形状をなす燐片状物質１２を準備した。」
を
「【００３５】また金属クロムの粉末を粉砕機により粉砕し、平均厚さ１．９μｍ、平均長手方向長さ２７．８μｍ、平均幅方向長さ１３．２μｍの形状をなす
鱗
と訂正する。
　１４　訂正事項１４
　特許明細書の段落番号【００３６】に記載された
「【００３６】次に、前記アドレス電極３付き背面板１上に低融点ガラス粉末と結合剤、溶媒、分散剤からなり前記燐片状物質１２を１重量％添加した隔壁形成用組成物１０をドクターブレードにて均一に塗布して隔壁形成層１１を形成した。」
を
「【００３６】次に、前記アドレス電極３付き背面板１上に低融点ガラス粉末と結合剤、溶媒、分散剤からなり前記
鱗
と訂正する。
　１５　訂正事項１５
　特許明細書の段落番号【００３９】に記載された
「【００３９】かくして得られた評価用のＰＤＰ用基板を正面板と接合し作製したプラズマ表示装置において画像評価を行った結果、隔壁の欠けによる表示欠陥は見らず、良好なプラズマ表示装置が得られた。
（実施例２）実施例１の燐片状物質１２を５重量％添加した隔壁形成用組成物１０をドクターブレードにて均一に塗布して隔壁形成層１１を形成した以外は実施例１と同様に隔壁２および誘電体層８を成形し、脱バインダー、焼成、評価した。」
を
「【００３９】かくして得られた評価用のＰＤＰ用基板を正面板と接合し作製したプラズマ表示装置において画像評価を行った結果、隔壁の欠けによる表示欠陥は見ら
れ
（実施例２）実施例１の
鱗
と訂正する。
　１６　訂正事項１６
　特許明細書の段落番号【００４０】に記載された
「【００４０】かくして得られた評価用のＰＤＰ用基板を正面板と接合し作製したプラズマ表示装置において画像評価を行った結果、隔壁の欠けによる表示欠陥は見らず、良好なプラズマ表示装置が得られた。
（実施例３）実施例１の燐片状物質１２を２重量％添加した隔壁形成用組成物１０をドクターブレードにて均一に塗布して隔壁形成層１１を形成した以外は実施例１と同様に隔壁２および誘電体層８を成形し、脱バインダー、焼成、評価した。」
を
「【００４０】かくして得られた評価用のＰＤＰ用基板を正面板と接合し作製したプラズマ表示装置において画像評価を行った結果、隔壁の欠けによる表示欠陥は見ら
れ
（実施例３）実施例１の
鱗
と訂正する。
　１７　訂正事項１７
　特許明細書の段落番号【００４１】に記載された
「【００４１】かくして得られた評価用のＰＤＰ用基板を正面板と接合し作製したプラズマ表示装置において画像評価を行った結果、隔壁の欠けによる表示欠陥は見らず、良好なプラズマ表示装置が得られた。
（実施例４）実施例１の燐片状物質１２を１０重量％添加した隔壁形成用組成物１０をドクターブレードにて均一に塗布して隔壁形成層１１を形成した以外は実施例１と同様に隔壁２および誘電体層８を成形し、脱バインダー、焼成、評価した。」
を
「【００４１】かくして得られた評価用のＰＤＰ用基板を正面板と接合し作製したプラズマ表示装置において画像評価を行った結果、隔壁の欠けによる表示欠陥は見ら
れ
（実施例４）実施例１の
鱗
と訂正する。
　１８　訂正事項１８
　特許明細書の段落番号【００４２】に記載された
「【００４２】かくして得られた評価用のＰＤＰ用基板を正面板と接合し作製したプラズマ表示装置において画像評価を行った結果添加した燐片状物質１２を起点とした隔壁の欠けによる表示欠陥が５点検出された。
（実施例５）実施例１の燐片状物質１２が、画像による測定結果から平均厚さ１．９μｍ、平均長手方向長さ１２．６μｍ、平均幅方向長さ７．９μｍの形状をなし、燐片状物質１２を０．３重量％添加した隔壁形成用組成物１０をドクターブレードにて均一に塗布して隔壁形成層１１を形成した以外は実施例１と同様に隔壁２および誘電体層８を成形し、脱バインダー、焼成、評価した。」
を
「【００４２】かくして得られた評価用のＰＤＰ用基板を正面板と接合し作製したプラズマ表示装置において画像評価を行った結果添加した
鱗
（実施例５）実施例１の
鱗
鱗
と訂正する。
　１９　訂正事項１９
　特許明細書の段落番号【００４３】に記載された
「【００４３】かくして得られた評価用のＰＤＰ用基板を正面板と接合し作製したプラズマ表示装置において画像評価を行った結果隔壁層の塑性変形不良による表示欠陥が１２点検出された。
（実施例６）実施例１の燐片状物質１２が、画像による測定結果から平均厚さ１．９μｍ、平均長手方向長さ９５．４μｍ、平均幅方向長さ５７．２μｍの形状をなし、燐片状物質１２を２重量％添加した隔壁形成用組成物１０をドクターブレードにて均一に塗布して隔壁形成層１１を形成した以外は実施例１と同様に隔壁２および誘電体層８を成形し、脱バインダー、焼成、評価した。」
を
「【００４３】かくして得られた評価用のＰＤＰ用基板を正面板と接合し作製したプラズマ表示装置において画像評価を行った結果隔壁層の塑性変形不良による表示欠陥が１２点検出された。
（実施例６）実施例１の
鱗
鱗
　２０　訂正事項２０
　特許明細書の段落番号【００４４】に記載された
「【００４４】かくして得られた評価用のＰＤＰ用基板を正面板と接合し作製したプラズマ表示装置において画像評価を行った結果、添加した燐片状物質１２を起点とした隔壁の欠けによる表示欠陥が１３点検出され、さらに隔壁層の塑性変形不良による表示欠陥が６点検出された。
（比較例１）実施例１の燐片状物質１２を添加せずに隔壁形成用組成物１０をドクターブレードにて均一に塗布して隔壁形成層１１を形成した以外は実施例１と同様に隔壁２および誘電体層８を成形し、脱バインダー、焼成、評価した。かくして得られた評価用のＰＤＰ用基板を正面板６と接合し作製したプラズマ表示装置において画像評価を行った結果、隔壁２の塑性変形不良による表示欠陥が２１点検出され良好なプラズマ表示装置を得ることができなかった。
（比較例２）実施例１の燐片状物質１２を添加しない代わりに、平均粒径５．５μｍのアルミナを１重量％添加した隔壁形成用組成物１０をドクターブレードにて均一に塗布して隔壁形成層１１を形成した以外は実施例１と同様に隔壁２および誘電体層８を成形し、脱バインダー、焼成、評価した。」
を
「【００４４】かくして得られた評価用のＰＤＰ用基板を正面板と接合し作製したプラズマ表示装置において画像評価を行った結果、添加した
鱗
（比較例１）実施例１の
鱗
（比較例２）実施例１の
鱗
と訂正する。
　２１　訂正事項２１
　特許明細書の段落番号【００４５】に記載された
「【００４５】かくして得られた評価用のＰＤＰ用基板を正面板６と接合し作製したプラズマ表示装置において画像評価を行った結果、添加した燐片状物質１２を起点とした隔壁の欠けによる表示欠陥が７点検出され、さらに隔壁層の塑性変形不良による表示欠陥が１５点検出され、良好なプラズマ表示装置を得ることができなかった。」
を
「【００４５】かくして得られた評価用のＰＤＰ用基板を正面板６と接合し作製したプラズマ表示装置において画像評価を行った結果、添加した
鱗
と訂正する。
　２２　訂正事項２２
　特許明細書の段落番号【００４７】に記載された
「【００４７】表１より明らかなように、比較例１，２においては添加物を加えていないこと、又は、添加物形状が燐片状でないことにより、塑性変形不良数及び添加物起因欠け不良数の合計が２０点以上発生し問題であった。」
を
「【００４７】表１より明らかなように、比較例１，２においては添加物を加えていないこと、又は、添加物形状が
鱗
と訂正する。
　２３　訂正事項２３
　特許明細書の段落番号【００４８】に記載された
「【００４８】一方、実施例１〜６においては燐片状物質を添加したことにより、いずれも塑性変形不良数及び添加物起因欠け不良数の合計は１９点以下と良好で、中でも、実施例１〜３においては不良数は０点と最適な結果であった。」
を
「【００４８】一方、実施例１〜６においては
鱗
と訂正する。
　２４　訂正事項２４
　特許明細書の段落番号【００５０】に記載された
「【００５０】【発明の効果】以上のように本発明のプラズマ表示装置用基板およびその製造方法によれば、隔壁材料に燐片状物質を添加することによりセラミックスを添加した場合と同様にフィラーの効果により隔壁の強度は向上し、添加物が燐片状であるため突起として隔壁表面に露出することがなく、したがって突起による隔壁の欠けが発生せずその破片による点灯不良が発生しなくなり、さらに型を用いてプレスにより隔壁を形成する工法において、型へ隔壁材料が充填される際に隔壁材料中の燐片状物質が充填方向に配向するために、型への隔壁材料の充填性が向上し隔壁の形状不良がなくなり、プラズマ表示装置を高品位で歩留まり良く製造できることが可能となる。」
を
「【００５０】【発明の効果】以上のように本発明のプラズマ表示装置用基板およびその製造方法によれば、隔壁材料に
鱗
鱗
鱗
と訂正する。
　２５　訂正事項２５
　特許明細書の【図面の簡単な説明】の欄の【符号の説明】に記載された
「【符号の説明】・・・１２：燐片状物質」
を
「【符号の説明】・・・１２：
鱗
と訂正する。
　
第２　当審の判断
　そこで、これらの訂正事項について検討する。　
　１　訂正事項１について
　訂正事項１は、請求項１ないし３に記載された発明特定事項である「隔壁中に燐片状物質を含有したこと」の「燐片状物質」を「鱗片状物質」と訂正するものである。
（１）特許明細書の発明の詳細な説明において、本件発明の解決しようとする課題等に関し、以下の記載が存在する。
　　ア　本件発明の解決しようとする課題に関し、段落番号【００１０】「従来の技術では、隔壁の強度を得るために隔壁材料中にセラミックス粉体等のフィラーを添加している為、フィラーによる突起が発生し、その突起が欠けて発生する破片によりプラズマ発光が阻害され表示欠陥となるといった問題があった。」、同【００１１】「型を用いてプレスにより隔壁を成形させる工法においては、リブ強度を向上させるフィラーを添加することにより、型への隔壁材料の充填が阻害され隔壁の成形不良が発生するという問題があった。」
　　イ　本件発明の課題を解決するための手段に関し、同【００１３】「隔壁材料中に燐片状物質を添加することにより、添加物により突起が発生することなくリブ強度が向上し、しかも型を用いてプレスにより隔壁を形成する工法において型への隔壁材料の充填性が向上することを見出し本発明に至った。」
　　ウ　本件発明の作用に関し、同【００１６】「【作用】本発明のプラズマ表示装置用基板とその製造方法によれば、隔壁材料に燐片状物質を添加することによりセラミックスを添加した場合と同様にフィラーの効果で隔壁の強度は向上する。また、特に型を用いてプレスにより隔壁を成形する工法の際に、型へ隔壁材料が充填される際に隔壁材料中の燐片状物質が充填方向に配向することにより、型への隔壁材料の充填性も向上する。これにより隔壁の形状不良、突起による隔壁の欠けが発生せず、また、その破片による点灯不良が発生しないプラズマ表示装置用基板を得ることができる。」
（２）特許明細書の発明の詳細な説明において「燐片状物質」の形状に関して、以下の記載が存在する。
　ア　同【００１５】「更に、燐片状物質が平均厚さ２μｍ以下、平均長手方向長さ３０μｍ以下、平均幅方向長さ１μｍ以上であることを特徴とするものであり、燐片状物質の隔壁中への含有量が０．５重量％以上、５重量％以下であることを特徴とするものである。」
　イ　同【００１９】「尚、本発明においては、図２（ａ）に示すように誘電体層8および隔壁2を構成する隔壁形成用組成物１０はセラミックスまたはガラス粉末と溶媒及び有機性添加物からなり、更に、平均厚さ２μｍ以下、平均長手方向長さ３０μｍ以下、平均幅方向長さ１μｍ以上の燐片状物質１２が０．５重量％以上、５重量％以下の添加量となるようにしている。」
　ウ　同【００２０】「これはフィラーの効果により隔壁２の強度を向上させるために添加する燐片状物質１２の好適なサイズ及び添加量であり、この範囲外では、即ち、平均厚みが２μｍを越えると、充填時の配向性が乏しくなり、また、平均長手方向長さが３０μｍを越えると充填性に支障をきたし、平均幅方向長さが１μｍ未満となると凝集性が強くなり隔壁形成用組成物１０の作製上好ましくない。添加量としては、０．５重量％未満であると、隔壁２の強度向上、成形充填性向上の効果はあらわれず、一方、５重量％を越えると隔壁２の焼結性が乏しくなる。」
　エ　同【００４７】「表１より明らかなように、比較例１，２においては添加物を加えていないこと、又は、添加物形状が燐片状でないことにより、塑性変形不良数及び添加物起因欠け不良数の合計が２０点以上発生し問題であった。」
（３）上記（１）のアないしウ及び（２）のアないしエに摘記した記載事項からみて、本件発明が、従来のセラミックス粉体等を添加することに代えて、「燐片状物質」を添加することにより課題を解決するものであること、そして、「燐片状物質」の形状にその技術的特長があることが明らかであり、「燐片状物質」の「燐片状」により、隔壁に添加する物質の形状を示していることは明らかである。
（４）一方、広辞苑第５版によると、形状を表す語句として「燐片」は掲載されておらず、「鱗片」のみが掲載されており、当該「鱗片」は、「りん‐ぺん【鱗片】鱗うろこの細片。鱗状をした細片。」と記載されている。
　また、「燐」という語句について検討すると、同じく広辞苑第５版によると「りん【燐・リン】おにび。きつねび。ひとだま。「燐火」、(phosphorus) 窒素族元素の一。元素記号 P　 原子番号１５。原子量３０．９７。単体として天然に産することなく、燐酸塩、殊に燐酸カルシウムとなって鉱物界に存在し、また、動植物の体内にも含まれている。淡黄色・半透明・蝋状の同素体を黄燐という。常温では徐々に酸化されて暗所で青白色の微光を放ち、５０度に至れば発火する。空気の供給を絶って熱すれば赤燐になる。主な用途はマッチ・農薬・燐化合物の製造など。」を意味するものである。
　これに対して、特許明細書の発明の詳細な説明の段落番号【００２１】には「燐片状物質１２は、導体物質、半導体物質、絶縁物質の何れでも良いが、作製の容易な、例えば、アルミニウム、鉄、銅、亜鉛、クロム、ニッケル、コバルト、スズ、チタン、インジウムのような延性に富む金属材料が好ましい。」と記載され、また同【００２２】には「また、燐片状物質１２は、粉砕機、振動ミル、ボールミルなどにより粉砕を行うことによって作製することができる。これは、材料が延性を有することにより、材料が粉砕よりもむしろ伸延される為である。」と記載されていることから、「燐片状物質」が「燐」からなるものを意味するものではないことは明らかである。
（５）以上のことから、「燐片」が形状を示すために用いられていることは特許明細書の記載から明らかであり、形状を示す同音の語句として「鱗片」が広辞苑に掲載されていることからみても、「燐片」が「鱗片」の誤記であることは当業者にとって明らかであるといえるから、上記訂正事項１は、特許法第１２６条第１項第２号に掲げる「誤記」の訂正を目的とするものに該当する。
　
　２　訂正事項２ないし２５について
　（１）訂正事項２ないし２５のうち、段落番号【００１３】（訂正事項２）、【００１４】（訂正事項３）、【００１５】（訂正事項４）、【００１６】（訂正事項５）、【００１９】（訂正事項６）、【００２０】（訂正事項７）、【００２１】（訂正事項８）、【００２２】（訂正事項９）、【００２４】（訂正事項１０）、【００２５】（訂正事項１１）、【００３５】（訂正事項１３）、【００３６】（訂正事項１４）、【００３９】（訂正事項１５）、【００４０】（訂正事項１６）、【００４１】（訂正事項１７）、【００４２】（訂正事項１８）、【００４３】（訂正事項１９）、【００４４】（訂正事項２０）、【００４５】（訂正事項２１）、【００４７】（訂正事項２２）、【００４８】（訂正事項２３）、【００５０】（訂正事項２４）、【図面の簡単な説明】の欄の【符号の説明】（訂正事項２５）の記載中「燐片」を「鱗片」とする訂正は、上記１において説示したように「燐片」は「鱗片」の誤記であることが一義的に明らかであるといえるから、特許法第１２６条第１項第２号に掲げる「誤記」の訂正を目的とするものに該当する。
　（２）訂正事項７の段落番号【００２０】の記載中「平均厚みが２μｍを越える」、「平均長手方向が長さが３０μｍを越える」、「５重量％を越える」の「越える」をそれぞれ「超える」とする訂正は、特許法第１２６条第１項第２号に掲げる「誤記」の訂正を目的とするものに該当することは明らかである。
　（３）訂正事項１０の段落番号【００２４】の記載中「加圧圧力等をを」を「加圧圧力等を」とする訂正、訂正事項１２の段落番号【００２７】の記載中「各種ガラス材料をを」を「各種ガラス材料を」とする訂正、訂正事項１５の段落番号【００３９】の「見らず」を「見られず」とする訂正、訂正事項１６の段落番号【００４０】の「見らず」を「見られず」とする訂正、訂正事項１７の段落番号【００４１】の「見らず」を「見られず」とする訂正は、いずれも特許法第１２６条第１項第２号に掲げる「誤記」の訂正を目的とするものに該当することは明らかである。
　３　そして、上記各訂正は、願書に添付した明細書又は図面に記載した事項の範囲内においてするものであり、かつ、実質上特許請求の範囲を拡張し、変更するものでもない。
　また、訂正後の特許請求の範囲に記載されている事項により特定される発明が、特許出願の際独立して特許を受けることができない発明であるとする理由もない。
　
第３　むすび
　以上のとおりであるから、本件審判の請求は、特許法第１２６条第１項第２号に掲げる事項を目的とし、かつ、同条第３項ないし第５項の規定に適合する。
　よって、結論のとおり審決する。